(57)【要約】【課題】  浴槽本体の湯水の見た目や水質の悪化を抑えることができる全身浴槽を提供することにある。【解決手段】  ガラ・フファ等の魚を用いたフィッシュテラピー等に用いる全身浴が可能な全身浴槽において、浴槽本体と、浴槽本体の底部に設けられた集魚マスと、集魚マスの湯水を排水する集魚マス排水口と、湯水や魚の糞等が通過可能で魚が通過不能な穴が穿設され、集魚マスの浴槽本体と連通する上部開口を覆う集魚マスカバーとを備え、所定量の湯水を、集魚マス排水口から排水することを特徴とする。【選択図】図１
2010178823.tif 000002
【特許請求の範囲】
【請求項１】
ガラ・フファ等の魚を用いたフィッシュテラピー等に用いる全身浴が可能な全身浴槽において、
浴槽本体と、
該浴槽本体の底部に設けられた集魚マスと、
該集魚マスの湯水を排水する集魚マス排水口と、
該湯水や該魚の糞等が通過可能で該魚が通過不能な穴が穿設され、該集魚マスの該浴槽本体と連通する上部開口を覆う集魚マスカバーとを備え、
所定量の該湯水を、該集魚マス排水口から排水することを特徴とする全身浴槽。
【請求項２】
前記集魚マス排水口から前記浴槽本体の入浴時水位の高さまで伸びる排水管を設け、
前記集魚マス排水口から排水する湯水の量が、該浴槽本体の入浴時水位のオーバーフロー分となることを特徴とする請求項１記載の全身浴槽。
【請求項３】
前記浴槽本体の底部に防魚手段を設けた一次排水口を備え、
前記集魚マスカバーを取り外した状態で、該一次排水口から湯水を排水することを特徴とする請求項１又は請求項２記載の全身浴槽。
【請求項４】
前記浴槽本体の底部を、前記集魚マスに向かって傾斜するスロープ底としたことを特徴とする請求項１〜請求項３のいずれかに記載の全身浴槽。
【発明の詳細な説明】
【技術分野】
【０００１】
本発明は、ガラ・フファ等の魚を用いたフィッシュテラピー等に用いる全身浴が可能な全身浴槽に関する。
【背景技術】
【０００２】
従来より、特許文献１に示すように、足湯などを用いて、ガラ・フファ等の魚を用いたフィッシュテラピー等が行われている。この魚は、温泉などの特殊な環境でも生息可能で、湯水に浸かる人間の皮膚の痛んでいる角質を見つけて、餌として舐めるように食べる習性を有している。フィッシュテラピー等では、この習性を用いて、皮膚病であるアトピーや乾癬やニキビなどの治療を行っている。また、最近は、特許文献１のような足湯だけではなく、全身浴の要望も高まっている。
【先行技術文献】
【特許文献】
【０００３】
【特許文献１】登録実用新案第３１２４８５１号公報
【発明の概要】
【発明が解決しようとする課題】
【０００４】
しかしながら、従来の全身浴槽でガラ・フファ等の魚を用いたフィッシュテラピー等を行うと、魚の糞が浴槽内に残留し湯水の見た目が悪化すると共に、水質悪化の原因となる。
【０００５】
本発明は、このような事情に鑑みてなされたもので、浴槽本体の湯水の見た目や水質の悪化を抑えることができる全身浴槽を提供することにある。
【課題を解決するための手段】
【０００６】
請求項１記載の全身浴槽は、浴槽本体と、浴槽本体の底部に設けられた集魚マスと、集魚マスの湯水を排水する集魚マス排水口と、湯水や魚の糞等が通過可能で魚が通過不能な穴が穿設され、集魚マスの浴槽本体と連通する上部開口を覆う集魚マスカバーとを備え、所定量の湯水を、集魚マス排水口から排水することを特徴とする。
【０００７】
請求項２記載の全身浴槽は、集魚マス排水口から浴槽本体の入浴時水位の高さまで伸びる排水管を設け、集魚マス排水口から排水する湯水の量が、浴槽本体の入浴時水位のオーバーフロー分となることを特徴とする。
【０００８】
請求項３記載の全身浴槽は、浴槽本体の底部に防魚手段を設けた一次排水口を備え、集魚マスカバーを取り外した状態で、一次排水口から湯水を排水することを特徴とする。
【０００９】
請求項４記載の全身浴槽は、浴槽本体の底部を、集魚マスに向かって傾斜するスロープ底としたことを特徴とする。
【発明の効果】
【００１０】
請求項１の発明によれば、浴槽本体の底部に設けられた集魚マスと、集魚マスの湯水を排水する集魚マス排水口と、湯水や魚の糞等が通過可能で魚が通過不能な穴が穿設され、集魚マスの浴槽本体と連通する上部開口を覆う集魚マスカバーとを備え、所定量の湯水を、集魚マス排水口から排水するようにしたことから、湯水の排水の流れに応じて糞等の微細な異物が集魚マスに集まり、湯水と共に排出されることから、浴槽本体の湯水の見た目や水質の悪化を抑えることができる。
【００１１】
請求項２の発明によれば、集魚マス排水口から浴槽本体の入浴時水位の高さまで伸びる排水管を設け、集魚マス排水口から排水する湯水の量が、浴槽本体の入浴時水位のオーバーフロー分となることから、浴槽本体に所定量の湯水を追加的に注ぎ込めば、おのずと湯水の排水が行われ、湯水の排水の流れに応じて、糞等の微細な異物が集魚マスに集まり、湯水と共に排出されることから、浴槽本体の湯水の見た目や水質の悪化を抑えることができる。
【００１２】
請求項３の発明によれば、浴槽本体の底部に防魚手段を設けた一次排水口を備え、集魚マスカバーを取り外した状態で、一次排水口から湯水を排水することで、浴槽本体からは湯水が抜けると共に、集魚マスには湯水が残り、その集魚マスに魚が集まることになり、魚を集める労力を抑えることができる。
【００１３】
請求項４の発明によれば、浴槽本体の底部を、集魚マスに向かって傾斜するスロープ底としたことから、排水時に、魚をスムーズに集魚マスに集めることができる。
【図面の簡単な説明】
【００１４】
【図１】本発明に係る全身浴槽の一例を示す構成図である。
【図２】同全身浴槽の詳細を示す説明図である。
【発明を実施するための形態】
【００１５】
以下、本発明の形態について図面を参照しながら具体的に説明する。本発明の形態における全身浴槽は、ガラ・フファ等の魚を用いたフィッシュテラピー等に用いる全身浴が可能な浴槽である。図１は、本発明に係る全身浴槽の一例を示す構成図である。図２は、同全身浴槽の詳細を示す説明図である。図１及び図２において、全身浴槽１は、人が全身浴可能な大きさの浴槽本体４と、浴槽本体４の底部４ａに設けられた集魚マス１０と、各種の排水管２２，２６，３０，３６，４４、バルブ２４，３４、排水ピット４０等から構成されている。
【００１６】
浴槽本体４の一番深い底部４ａには、升状で、浴槽本体４の底部４ａの面と上部開口の面とが同一の高さの集魚マス１０が設けられている。集魚マス１０には、防魚ネット１４ａで覆われた集魚マス排水口１４が穿設されている。集魚マス１０の上部開口には、上部開口を覆う着脱自在な集魚マスカバー１２が設けられている。この集魚マスカバー１２には、湯水や魚の糞等が通過可能で魚が通過不可能な穴が穿設されている。また、集魚マス排水口１４からは、浴槽本体４の入浴時水位の高さまで伸びる排水管３０が設けられている。尚、排水管３０の途中の集魚マス１０の高さより下に伸びる排水管３６が設けられ、排水管３０と排水管３６との間には、バルブ３４が設けられている。また、浴槽本体４の底部４ａの上部には、集魚マス１０に向かって傾斜するスロープ底４ｂが設けられている。
【００１７】
浴槽本体４の脇には、入水槽である排水ピット４０が設けられている。排水ピット４０は、浴槽本体４の入浴時水位の高さまで伸びる排水管３０の先に設けられた水位調整パイプ３２を介して、集魚マス１０と連通している。また、排水ピット４０に溜まった湯水を排水するために、排水ピット４０の底付近に排水管４４が設けられていると共に、排水ピット４０がオーバーフローしないように、上部側面にも排水用オーバーフロー管４６が排水管として設けられている。さらに、浴槽本体４の入浴時水位の高さの上方には、浴槽本体４と排水ピット４０とを連通するオーバーフローパイプ４２が設けられ、浴槽本体４がオーバーフローするような時は、このオーバーフローパイプ４２を介して溢れた湯水が排水ピット４０に流れ込むようになる。
【００１８】
浴槽本体４の底部４ａには、防魚ネット２０ａを有する一次排水口２０が設けられ、一次排水口２０から排水管２２が伸び、バルブ２４を介してさらに排水管２６が設けられている。排水管２６、排水管３６及び排水管４４は、いずれも全身浴槽１の外の排水処理施設等へ連結され、湯水の完全な排水を行うためのルートとなる。
【００１９】
次に、以上のような構成の全身浴槽１の使用方法作について説明する。まず、バルブ２４及びバルブ３４を閉じ、また、集魚マスカバー１２を被せた状態で、浴槽本体４に湯水を張り、そして、ガラ・フファ等の魚を浴槽本体４の中で泳がせるようにする。そして、その状態で、人が入浴することで、魚が湯水に浸かる人間の皮膚の痛んでいる角質を見つけて餌として舐めるように食べ、フィッシュテラピーが行われるようになる。尚、蛇口６からは、絶えず湯水を浴槽本体４に流し込むようにしておく。
【００２０】
湯水が蛇口６から絶えず流し込まれることで、浴槽本体４はオーバーフロー状態となり、湯水が、浴槽本体４から、集魚マスカバー１２を抜けて集魚マス１０に入り、そして、集魚マス排水口１４から、排水管３０を抜け、水位調整パイプ３２に至り、排水ピット４０へと流れていく。これにより、湯水が浴槽本体４に留まらず、流れることになる。
【００２１】
以上のように、集魚マス排水口１４から排水するようにしたことから、湯水の排水の流れに応じて糞等の微細な異物が集魚マス１０に集まり、湯水と共に排出されることから、浴槽本体４の湯水の見た目や水質の悪化を抑えることができる。また、集魚マス排水口１４から浴槽本体４の入浴時水位の高さまで伸びる排水管３０を設け、集魚マス排水口１４から排水する湯水の量が、浴槽本体４の入浴時水位のオーバーフロー分となることから、浴槽本体４に所定量の湯水を追加的に注ぎ込めば、おのずと湯水の排水が行われ、湯水の排水の流れに応じて、糞等の微細な異物が集魚マス１０に集まり、湯水と共に排出されることから、浴槽本体４の湯水の見た目や水質の悪化を抑えることができる。
【００２２】
次に、浴槽本体４を清掃するような場合に、浴槽本体４の湯水を抜く方法を説明する。まず、図２に示すように、集魚マスカバー１２を取り除き、次に、バルブ２４を開いて、湯水を、一次排水口２０から、排水管２２、バルブ２４及び排水管２６を介して排水する。尚、一次排水口２０には防魚ネット２０ａが設けられているので、魚が湯水と一緒に排出されることはなく、依然として湯水の残る集魚マス１０に魚が集まることとなる。
【００２３】
そして、浴槽本体４の湯水が排水され、集魚マス１０に残った湯水に魚が集まった状態で、その魚をタモ等ですくい上げて他の水槽等に一時的に移すようにする。そして、魚を集魚マス１０からすくい取った後に、バルブ３４を開き、集魚マス排水口１４、排水管３０、バルブ３４及び排水管３６を介して、集魚マス１０に残った湯水を排水する。浴槽本体４及び集魚マス１０の湯水がなくなった状態で、清掃等を行えばよい。
【００２４】
以上のように、浴槽本体４の底部４ａに防魚ネット２０ａを設けた一次排水口２０を備え、集魚マスカバー１２を取り外した状態で、一次排水口２０から湯水を排水することで、浴槽本体４からは湯水が抜けると共に、集魚マス１０には湯水が残り、その集魚マス１０に魚が集まることになり、魚を集める労力を抑えることができる。また、浴槽本体４の底部４ａを、集魚マスに向かって傾斜するスロープ底４ｂとしたことから、排水時に、魚をスムーズに集魚マス１０に集めることができる。
【産業上の利用可能性】
【００２５】
以上のように、ガラ・フファ等の魚を用いたフィッシュテラピー等に用いる全身浴が可能な全身浴槽で、浴槽本体の湯水の見た目や水質の悪化を抑えることができる全身浴槽を提供することができる。
【符号の説明】
【００２６】
１・・・・・全身浴槽
４・・・・・浴槽本体
４ａ・・・・底部
４ｂ・・・・スロープ底
６・・・・・蛇口
１０・・・・集魚マス
１２・・・・集魚マスカバー
１４・・・・集魚マス排水口
１４ａ・・・防魚ネット
２０・・・・一次排水口
２０ａ・・・防魚ネット
２２・・・・排水管
２４・・・・バルブ
２６・・・・排水管
３０・・・・排水管
３２・・・・水位調整パイプ
３４・・・・バルブ
３６・・・・排水管
４０・・・・排水ピット
４２・・・・オーバーフローパイプ
４４・・・・排水管
４６・・・・排水用オーバーフロー管
【図１】
2010178823.tif 000003
【図２】
2010178823.tif 000004